(57)【要約】      （修正有）【課題】高倍率、広画角、高性能でフルフラットカメラに好適なズームレンズを提供すること。【解決手段】物体側から順に、正の屈折力の1群L1、負の屈折力の2群L2、正の屈折力の3群L3、後続レンズ群を有し、後続レンズ群の中で最も像側の群L5が正の屈折力を有し、1群に反射部材を有し、変倍時に1群が固定で2群、3群は移動し、1群は反射部材よりも物体側に負レンズを有し、反射部材よりも像側に2枚の正レンズを有し、最も像側の群は2枚の正レンズと1枚の負レンズを有し、以下の条件式を満たすことを特徴とするズームレンズ。0.2<f1/ft<0.4(1)2015028556.tif 0000110.15<fa/ft<0.4(3)【選択図】図２
2015028556.tif 000002
【特許請求の範囲】
【請求項１】
物体側から順に、
正の屈折力の1群、負の屈折力の2群、正の屈折力の3群、後続レンズ群を有し、
後続レンズ群の中で最も像側の群が正の屈折力を有し、
1群に反射部材を有し、
変倍時に1群が固定で2群、3群は移動し、
1群は反射部材よりも物体側に負レンズを有し、
反射部材よりも像側に2枚の正レンズを有し、
最も像側の群は2枚の正レンズと1枚の負レンズを有し、
以下の条件式を満たすことを特徴とするズームレンズ。
0.2<f1/ft<0.4                  (1)
【数１】
2015028556.tif 000009
0.15<fa/ft<0.4          (3)
ただし
f1:1群の焦点距離
fa:最も像側の群の焦点距離
ft:望遠端の全系の焦点距離
νai:最も像側の群内のレンズのアッベ数
φai:最も像側の群内のレンズのパワー
φw:広角端の全系パワー
とする。
【請求項２】
以下の条件式を満たすことを特徴とする請求項1に記載のズームレンズ。
【数２】
2015028556.tif 000010
ただし
φn1:1群の最もパワーの強い負レンズのパワー 
vn1:1群の最もパワーの強い負レンズのアッべ数
【請求項３】
以下の条件式を満たすことを特徴とする請求項1に記載のズームレンズ。
30<vnb<50             (5) 
ただし
vnb:最も像側の負群の最もパワーの強い負レンズのアッベ数
とする。
【請求項４】
以下の条件式を満たすことを特徴とする請求項1に記載のズームレンズ。
-0.3<fb/ft<-0.1        (6) 
ただし
fb:最も像側の負群の焦点距離
とする。
【請求項５】
物体側から順に、正の屈折力を有する1群、負の屈折力の2群、正の屈折力を有する3群、負の屈折力を有する4群、正の屈折力を有する5群から構成されることを特徴とする請求項1に記載のズームレンズ。
【発明の詳細な説明】
【技術分野】
【０００１】
本発明は、デジタルカメラ、デジタル一眼レフカメラ、デジタルビデオカメラ等に関し、特にデジタルカメラに好適なズームレンズに関するものである。
【背景技術】
【０００２】
近年、防水、防塵仕様のデジタルカメラが求められている。即ち、デジタルカメラは精密機器であり、水や塵が内部に浸入すると故障の要因となる。そのため、水や塵の進入経路を可能な限り少なくする工夫が必要となる。その一例として、撮影時に鏡筒がカメラ本体から飛び出さず、鏡筒から水や塵の入りにくい、フルフラット(撮影時にカメラ本体から鏡筒が飛び出さない)カメラが知られている。また、ユーザーの多様な用途に答えるため、カメラの更なる薄型化、広画角化、更なる高倍率化が求められている。
【０００３】
しかし、広画角のズームレンズは前玉径が増大する傾向がある。また、高倍率のズームレンズは、一般に撮影長が長くなるためにカメラの厚みが増大し、携帯性が損なわれてしまう。高倍率のズームレンズとして物体から順に、正群、負群、正群を有するタイプが知られているが、高倍率化に伴ってレンズ全長が一般に増大すること、広画角化に伴って前玉径が増大することが課題である。そのため、広画角かつ高倍率のフルフラットカメラは、ズームレンズの1群に反射部材を配置することで光路をカメラ内部で折り曲げ、カメラ厚を短縮するのが一般的である。
【０００４】
しかしながら広画角化に伴って、ズームレンズの1群に配置した反射部材の有効径も増大し、大型化するためにカメラの薄型化を阻害する。
【０００５】
例えば、特許文献１、２では正の屈折力を有する１群、負の屈折力を有する２群、正の屈折力を有する３群を有し、１群に反射部材を有するズームレンズが開示されている。
【先行技術文献】
【特許文献】
【０００６】
【特許文献１】特開２００７−２４８９５２号公報
【特許文献２】特開２００９−２３６９７３号公報
【発明の概要】
【発明が解決しようとする課題】
【０００７】
しかしながら、反射部材をズームレンズ中に配置するためには、そのための空間が必要であり、また、折り曲げ後のカメラ厚を薄くするためには、よりレンズの前方に反射部材を挿入せねばならない。そのため、入射瞳位置が深くなり、反射部材挿入前より前玉径が大きくなってしまう。また広画角化を達成するために1群のパワーを強くすると、特に望遠端の軸上色収差が低下する。カメラの薄型化のためには、最も物体側に反射部材を配置するのが望ましいが、反射部材の有効径が増大し、大型化に繋がるために反射部材の物体側に負レンズを配置するのが一般的である。また1群の正レンズは、反射部材の像側に配置するのが一般的である。
【０００８】
また、１群中の負レンズと正レンズの間隔が増大するために、1群で発生する軸上色収差と倍率色収差を同時に補正することが困難となる。
【０００９】
特許文献１は、広角端の半画角30°程度であり、本願の目標とする37°程度と比較すると小さく、十分な広画角化が達成できていない。
【００１０】
特許文献２では広画角化を実現しているが、小型化が十分ではない。小型化するためには各群のパワーを強くする必要があるが、1群で発生する軸上色収差、倍率色収差を補正する為に2群に低分散の異常分散ガラスを用いている。一般に低分散のガラスは屈折率が低いために、パワーを強くすると曲率半径が小さくなりすぎ、収差補正が困難となる。
【００１１】
従来、この点に鑑みて高倍率でフルフラットカメラに用いるズームレンズに関して、1群中に反射部材を配置しながら、広画角化しつつ光学性能を維持する技術は提案されていない。
【００１２】
本発明の目的は、反射部材を有していながら広画角で、高倍率かつ高性能なフルフラットカメラに好適なズームレンズを提供することである。
【００１３】
本願では、広画角化するために1群の焦点距離を小さくしている。その際に発生する倍率色収差を、最も像側の正群をあえて倍率色収差を過補正にすることで補正している。また最も物体側の正群の焦点距離を小さくする事で、横倍率を小さくし、広画角化を図っている。
【課題を解決するための手段】
【００１４】
物体側から順に、正の屈折力の1群、負の屈折力の2群、正の屈折力の3群、後続レンズ群を有し、後続レンズ群の中で最も像側の群が正の屈折力を有し、1群に反射部材を有し、変倍時に1群が固定で2群、3群は移動し、1群は反射部材よりも物体側に負レンズを有し、反射部材よりも像側に2枚の正レンズを有し、最も像側の群は2枚の正レンズと1枚の負レンズを有し、以下の条件式を満たすことを特徴とするズームレンズ。
【００１５】
0.2<f1/ft<0.4                  (1)
【００１６】
【数１】
2015028556.tif 000003
【００１７】
0.15<fa/ft<0.4          (3)
ただし
f1:1群の焦点距離
fa:最も像側の群の焦点距離
ft:望遠端の全系の焦点距離
νai:最も像側の群内のレンズのアッベ数
φai:最も像側の群内のレンズのパワー
φw:広角端の全系パワー
とする。
【発明の効果】
【００１８】
本発明によれば高倍率、広画角かつ色収差の補正された、フルフラットカメラに好適なズームレンズを提供することができる。
【図面の簡単な説明】
【００１９】
【図１】反射部材を用いたズームレンズの模式図
【図２】数値実施例１の広角端での断面図
【図３】数値実施例１の広角端での収差図
【図４】数値実施例１の望遠端での収差図
【図５】数値実施例２の広角端での断面図
【図６】数値実施例２の広角端での収差図
【図７】数値実施例２の望遠端での収差図
【図８】数値実施例３の広角端での断面図
【図９】数値実施例３の広角端での収差図
【図１０】数値実施例３の望遠端での収差図
【図１１】数値実施例４の広角端での断面図
【図１２】数値実施例４の広角端での収差図
【図１３】数値実施例４の望遠端での収差図
【図１４】数値実施例５の広角端での断面図
【図１５】数値実施例５の広角端での収差図
【図１６】数値実施例５の望遠端での収差図
【発明を実施するための形態】
【００２０】
以下に、本発明の好ましい実施の形態を、添付の図面に基づいて詳細に説明する。図１は反射部材を用いたズームレンズの模式図である。図２、５、８、１１、１４は、本発明の実施形態にかかわる数値実施例１〜５の広角端での断面図である。図３、６、９、１２、１５は、本発明の実施形態にかかわる数値実施例１〜５の広角端での収差図である。図４、７、１０、１３、１６は、本発明の実施形態にかかわる数値実施例１〜５の望遠端での収差図である。
【００２１】
図１に示すような構造にすることで、光路を垂直方向に折り曲げ、カメラ厚を短縮している。数値実施例１〜５について図２、５、８、１１、１４では実際に光路を折り曲げているようには記載していないが、実際に作製する際には図１と同様の構造となり、カメラ厚は短縮される。
【００２２】
各レンズ断面図において、ＰＲは反射部材であるプリズム、ＧＢはガラスブロック、ＳＰは絞り、ＩＰは像面をあらわしている。
【００２３】
各収差図において、ｄ、ｇは各々ｄ線及びｇ線、ΔＭ、ΔＳはメリジオナル像面、サジタル像面を表している。倍率色収差はｇ線であらわしている。
【００２４】
実施例1〜５は、物体側から順に正群、負群、正群、負群、正群から構成され、１群に反射部材を用いており、１群の反射部材よりも物体側に負レンズを配置している。
【００２５】
本願では、広画角化するために1群の焦点距離を小さくしている。また、１群中の反射部材よりも物体側に負レンズを配置する事で、反射部材の有効径の小型化を図っている。その際に発生する倍率色収差を、最も像側の正群をあえて倍率色収差を過補正にすることで補正している。
【００２６】
また最も像側の正群の焦点距離を小さくする事で、横倍率を小さくし、広角化を図っている。高倍率、広画角、色収差の補正された、フルフラットカメラに好適なズームレンズを達成している。
【００２７】
以下、各実施形態について１つずつ説明する。
【００２８】
［実施例１］
以下、図１を参照して、本発明の第1の実施例による、レンズ構成について説明する。図１に示す実施例１は、物体側から順に、第1正レンズ群Ｌ１、第２負レンズ群Ｌ２、絞りSP、第３正レンズ群Ｌ３、第４負レンズ群Ｌ４、第５正レンズ群Ｌ５、ガラスブロックGB、から構成されている。
【００２９】
１群の焦点距離と望遠端の全系焦点距離は以下の条件式を満たす。
【００３０】
0.2<f1/ft<0.4                  (1)
条件式(1)は１群の焦点距離と望遠端の焦点距離の比を規定している。このパワー配置にする事で広画角化に寄与している。
【００３１】
上限値を超えると、1群の焦点距離が大きくなりすぎ、広画角化が困難になるために好ましくない。
【００３２】
下限値を超えると、1群の焦点距離が小さくなり、1群中の正レンズのパワーが強くなり過ぎ、1群内で発生する軸上色収差、球面収差を補正することが困難になるために好ましくない。
【００３３】
更に好ましくは条件式(1a)を満たすと、広画角化と倍率色収差の補正が、更に良好にできるので良い。
【００３４】
0.25<f1/ft<0.4                  (1a)
最も像側の群のレンズは以下の条件式を満たす。
【数２】
2015028556.tif 000004
【００３５】
条件式(2)は、最も像側の群の、色消しの条件を規定している。最も像側の群は正群であり、通常であれば(2)式の値は正符号になる。1群の負レンズで発生する広角端の倍率色収差を、1群内の正レンズで補正しようとすると軸上色収差を補正することが困難となる。そのため、軸上色収差を補正した状態で、絞りよりも像側の、最も像側の正群を過補正にあえてする事で倍率色収差を補正している。
【００３６】
上限値を超えると、最も像側の群の色消し力が小さくなり、1群で発生した倍率色収差を補正することが困難になるために好ましくない。
【００３７】
下限値を超えると、最も像側の群の色消し力が大きくなり、1群で発生する倍率色収差の補正が過剰となるために好ましくない。
【００３８】
更に好ましくは条件式(2a)を満たすと、倍率色収差を更に良好に補正できるので良い。
【００３９】
【数３】
2015028556.tif 000005
【００４０】
最も像側の群と望遠端の焦点距離は以下の条件式を満たす。
0.15<fa/ft<0.4          (3)
条件式(3)は最も像側の群と望遠端の焦点距離の比を規定している。最も像側の正群の焦点距離を小さくする事で、横倍率を小さくし、広画角化に寄与している。
上限値を超えると、最も像側の群の焦点距離が大きくなり、広画角化することが困難になるために好ましくない。
【００４１】
下限値を超えると、最も像側の群の焦点距離が小さくなり、最も像側の群で色消しを過補正にすることが困難になるために好ましくない。以上で本発明の目的は達成可能である。
更に好ましくは条件式(3a)を満たすと、広画角化と倍率色収差の補正を、更に良好に行えるので良い。
0.18<fa/ft<0.4          (3a)
以上で本発明の目的は達成可能である。望ましくは以下の条件式を満たすと倍率色収差が良好に補正できるため良い。
【００４２】
【数４】
2015028556.tif 000006
【００４３】
ただし
φn1:1群の最もパワーの強い負レンズのパワー 
vn1:1群の最もパワーの強い負レンズのアッべ数
とする。
条件式(4)は1群の負レンズと最も像側の群の色消しのバランスを規定している。上限値を超えると、1群の負レンズで発生する倍率色収差が、最も像側の群の倍率色収差に比べて大きくなり、補正することが困難になるために好ましくない。
【００４４】
下限値を超えると、最も像側の群の色消しが過剰補正になりすぎ、倍率色収差を補正することが困難になるために好ましくない。
【００４５】
更に好ましくは条件式(4a)を満たすと、倍率色収差を更に良好に補正できるので良い。
【００４６】
【数５】
2015028556.tif 000007
【００４７】
1群で発生した倍率色収差を最も像側の正群を過補正にして補正する手法についてこれまで述べた。絞りよりも像側の負レンズの色消し作用を高めると補正できるので、最も像側の群だけでなく、その物体側の群中の負レンズで倍率色収差補正を分担しても良い。本実施例では、最も像側の負群にも倍率色収差補正を分担させている。
【００４８】
望ましくは以下の条件式を満たすと倍率色収差が良好に補正できるため良い。
30<vnb<50             (5) 
ただし
vnb: 最も像側の負群の最もパワーの強い負レンズのアッベ数
とする。
【００４９】
条件式(5)は負レンズの色消し作用を高めるのに適切なアッベ数の範囲を規定している。
上限値を超えると、負レンズの色消し作用が小さくなり、倍率色収差補正への寄与が小さくなるために好ましくない。
【００５０】
下限値を超えると、負レンズの色消し作用が大きくなり、過剰補正になるために好ましくない。
【００５１】
更に好ましくは条件式(5a)を満たすと、倍率色収差を更に良好に補正できるので良い。
32<vnb<48             (5a) 
望ましくは以下の条件式を満たすと倍率色収差が良好に補正できるため良い。
-0.3<fb/ft<-0.1        (6) 
ただし
fb:最も像側の負群の焦点距離
とする
上限値を超えると、負群の焦点距離が大きくなり、負群の色消し力が小さくなり、倍率色収差を補正することが困難になるために好ましくない。
【００５２】
下限値を超えると、負群の焦点距離が小さくなり、負群の色消し力が過剰になり、倍率色収差を補正することが困難になるために好ましくない。
【００５３】
更に好ましくは条件式(6a)を満たすと、倍率色収差を更に良好に補正できるので良い。
-0.3<fb/ft<-0.12        (6a)
物体側から順に、正の屈折力を有する1群、負の屈折力の2群、正の屈折力を有する3群、負の屈折力を有する4群、正の屈折力を有する5群から構成されることで各群のパワー配置を適切に設定できる。
【００５４】
［実施例２］
以下、図４を参照して、本発明の第２の実施例による、レンズ構成について説明する。図４に示す実施例２は、物体側から順に、第1正レンズ群Ｌ１、第２負レンズ群Ｌ２、絞り、第３正レンズ群Ｌ３、第４負レンズ群Ｌ４、第５正レンズ群Ｌ５、ガラスブロックGB、から構成されている。
【００５５】
実施例2は実施例１と比較して望遠端のF値を5.6と暗くしている。本数値例では1群中の正レンズの有効径は、望遠端のF値によって決定されている。暗くすることで有効径を小さくし、小型化を図っている。また、L1とL4、L5のパワーを小さくしている。
【００５６】
［実施例３］
以下、図７を参照して、本発明の第３の実施例による、レンズ構成について説明する。図７に示す実施例３は、物体側から順に、第1正レンズ群Ｌ１、第２負レンズ群Ｌ２、絞り、第３正レンズ群Ｌ３、第４負レンズ群Ｌ４、第５正レンズ群Ｌ５、ガラスブロックGB、から構成されている。
【００５７】
実施例3は実施例１と比較して、L1とL5のパワーを強くしている。L5のパワーを強くしつつも、Ｌ５の色消し作用は高めている。
【００５８】
［実施例４］
以下、図１０を参照して、本発明の第４の実施例による、レンズ構成について説明する。図１０に示す実施例４は、物体側から順に、第1正レンズ群Ｌ１、第２負レンズ群Ｌ２、絞り、第３正レンズ群Ｌ３、第４負レンズ群Ｌ４、第５正レンズ群Ｌ５、ガラスブロックGB、から構成されている。
【００５９】
実施例4は実施例1と比較してL5のパワーが強い。最も像側の群であるL5で倍率色収差を補正している。
【００６０】
［実施例５］
以下、図１３を参照して、本発明の第５の実施例による、レンズ構成について説明する。図１３に示す実施例５は、物体側から順に、第1正レンズ群Ｌ１、第２負レンズ群Ｌ２、絞り、第３正レンズ群Ｌ３、第４負レンズ群Ｌ４、第５正レンズ群Ｌ５、ガラスブロックGB、から構成されている。
【００６１】
実施例５は、実施例１と比較してL1のパワーが小さい。条件式(3)の数値が本数値実施例の中で最も小さく、最も像側の群であるL5のパワーが強い。また条件式(6)の数値が小さく、最も像側の群の物体側の群であるL4のパワーが強い。しかしながら条件式(2)の数値は数値実施例の中では小さい。以上より、L1のパワーを強めると共にL4、L5のパワーを強め、L5でL1の倍率色収差をしつつも、L4にも色消し分担を割り振っている。
【００６２】
以上、本発明の好ましい実施形態について説明したが、本発明はこれらの実施形態に限定されず、その要旨の範囲内で種々の変形及び変更が可能である。
【００６３】
次に本発明の数値実施例を示す。
【００６４】
数値実施例において、riは物体側より順に第ｉ番目のレンズ面の曲率半径、diは第ｉ番目のレンズ厚または空気間隔、ndiとvdiは第ｉ番目のレンズの材質のd線の屈折率とアッベ数である。また、非球面形状はレンズ面の中心部の曲率半径をＲとし、光軸方向をＸ軸とし、光軸と垂直方向をＹ軸とし、非球面係数をAi（i=1,2,3…）としたとき、
Ｘ＝      （１／Ｒ）Ｙ２                    
１＋｛１―（Ｋ＋１）(Ｙ／Ｒ)２｝１／２  
＋Ａ４Ｙ４＋Ａ６Ｙ６＋Ａ８Ｙ８＋Ａ１０Ｙ１０＋・・・
であらわされるものとする。
【００６５】
表１には本発明の上述した条件式と数値実施例の関係を示す。
【００６６】
数値実施例  １
単位 mm
面データ
面番号       r        d      nd         vd       有効径
1         79.161    1.01   1.92286    20.9       18.05
2         15.900    2.50                         15.84
3          ∞      15.00   1.90366    31.3       15.62
4          ∞       0.19                         14.84
5         36.978    3.04   1.59282    68.6       15.37
6        -25.494    0.19                         15.53
7*        25.555    1.95   1.69350    53.2       15.19
8*      -345.688  (可変)                         14.97
9        -26.381    0.44   1.85400    40.4        7.05
10*        10.355    1.36                          6.82
11        -10.317    0.44   1.72916    54.7        6.87
12         42.257    0.16                          7.37
13         41.585    1.18   1.92286    18.9        7.53
14        -27.078  (可変)                          7.79
15(絞り)    ∞     (可変)                          8.12
16*        10.690    1.95   1.69350    53.2        8.57
17*        58.487    1.60                          8.46
18         20.722    0.50   1.83481    42.7        8.48
19          8.251    2.61   1.49700    81.5        8.26
20        -11.103  (可変)                          8.28
21         16.067    0.44   1.88300    40.8        5.64
22          6.325  (可変)                          5.47
23         10.645    2.21   1.51742    52.4        8.86
24        -22.123    0.55   1.92286    20.9        8.78
25         18.121    0.16                          8.79
26*        17.453    2.45   1.58313    59.4        8.89
27        -12.712  (可変)                          9.06
28          ∞       1.29   1.51633    64.2       20.00
29          ∞     (可変)                         20.00
像面        ∞   
非球面データ
第7面
K = 0.00000e+000  A 4= 3.71143e-006  A 6=-2.44162e-008  A 8=-3.73467e-009  A10= 1.91671e-011  
第8面
K = 0.00000e+000  A 4= 9.06789e-006  A 6=-1.13302e-007  A 8=-3.27643e-009  A10= 2.51291e-011  
第10面
K = 0.00000e+000  A 4=-1.40586e-004  A 6= 2.14541e-006  A 8= 1.11525e-008  A10=-4.75224e-009  
第16面
K = 0.00000e+000  A 4= 5.95526e-005  A 6=-6.68120e-006  A 8= 2.64364e-007  A10=-1.32680e-008  
第17面
K = 0.00000e+000  A 4= 3.53464e-004  A 6=-6.43741e-006  A 8= 1.90601e-007  A10=-1.28089e-008  
第26面
K = 0.00000e+000  A 4=-3.74153e-005  A 6= 5.69321e-006  A 8=-2.71745e-007  A10= 4.25627e-009  
各種データ
ズーム比      9.97 
広角     中間     望遠
焦点距離       5.01    10.35    50.00  
Fナンバー      3.61     4.50     5.00  
画角          34.29    20.53     4.43  
像高           3.42     3.88     3.88  
レンズ全長    82.00    82.00    82.00  
BF             1.36     1.36     1.36  
d 8            0.38     6.72    13.35  
d14           13.47     7.13     0.50  
d15            8.45     6.70     0.19  
d20            4.91     6.66    13.17  
d22            7.08     6.35    10.73  
d27            5.15     5.88     1.50  
d29            1.36     1.36     1.36  
入射瞳位置    12.38    18.18    28.25  
射出瞳位置   138.57   1407.68   141.62  
前側主点位置  17.58    28.60    96.07  
後側主点位置  -3.65    -8.99   -48.64  
ズームレンズ群データ
群  始面    焦点距離  レンズ構成長  前側主点位置  後側主点位置
1    1      17.45        23.88        14.64          7.99
2    9      -6.92         3.57         0.18         -2.54
絞り 15       ∞           0.00         0.00         -0.00
3   16      11.55         6.66         2.19         -3.23
4   21     -12.07         0.44         0.39          0.15
5   23      17.62         5.37         1.97         -1.79
GB  28       ∞           1.29         0.42         -0.42
単レンズデータ
レンズ  始面  焦点距離
1       1    -21.72
2       3      0.00
3       5     25.92
4       7     34.39
5       9     -8.66
6      11    -11.33
7      13     17.92
8      16     18.55
9      18    -16.73
10      19      9.97
11      21    -12.07
12      23     14.22
13      24    -10.72
14      26     13.00
15      28      0.00
数値実施例  ２
単位 mm
面データ
面番号       r        d      nd         vd       有効径
1        108.061    1.01   1.92286    20.9       17.96
2         16.952    2.34                         15.89
3          ∞      15.00   1.90366    31.3       15.68
4          ∞       0.19                         13.70
5         38.395    2.84   1.59282    68.6       13.67
6        -26.903    0.19                         13.46
7*        26.259    1.68   1.69350    53.2       13.21
8*      -168.801  (可変)                         13.02
9        -25.990    0.44   1.85400    40.4        6.98
10*        10.752    1.18                          6.35
11        -10.072    0.44   1.72916    54.7        6.24
12         43.073    0.15                          6.46
13         40.393    1.08   1.92286    18.9        6.59
14        -27.104  (可変)                          6.82
15(絞り)    ∞     (可変)                          7.27
16*        10.300    2.19   1.69350    53.2        7.94
17*        58.367    1.91                          7.74
18         23.527    0.50   1.83481    42.7        7.65
19          8.127    2.23   1.49700    81.5        7.46
20        -11.452  (可変)                          7.47
21         15.025    0.44   1.88300    40.8        5.89
22          6.426  (可変)                          5.70
23         11.956    2.09   1.51742    52.4        8.78
24        -22.421    0.55   1.92286    20.9        8.79
25         19.760    0.19                          8.92
26*        18.249    2.50   1.58313    59.4        9.09
27        -12.783  (可変)                          9.28
28          ∞       1.29   1.51633    64.2       20.00
29          ∞     (可変)                         20.00
像面        ∞   
非球面データ
第7面
K = 0.00000e+000  A 4= 8.15995e-006  A 6=-8.14762e-008  A 8=-2.19361e-009  A10=-1.18258e-012  
第8面
K = 0.00000e+000  A 4= 1.46986e-005  A 6=-1.56358e-007  A 8=-2.51962e-009  A10= 1.32712e-011  
第10面
K = 0.00000e+000  A 4=-1.36094e-004  A 6= 2.30129e-006  A 8= 6.92089e-008  A10=-8.74253e-009  
第16面
K = 0.00000e+000  A 4= 4.24228e-005  A 6=-3.63882e-006  A 8= 2.12998e-007  A10=-1.01398e-008  
第17面
K = 0.00000e+000  A 4= 3.30095e-004  A 6=-3.82480e-006  A 8= 2.13981e-007  A10=-1.21624e-008  
第26面
K = 0.00000e+000  A 4=-5.19504e-006  A 6= 4.87132e-006  A 8=-2.15386e-007  A10= 3.06326e-009  
各種データ
ズーム比      9.51 
広角     中間     望遠
焦点距離       5.15    10.35    49.00  
Fナンバー      3.61     4.50     5.60  
画角          33.59    20.53     4.52  
像高           3.42     3.88     3.88  
レンズ全長    83.50    83.50    83.50  
BF             1.36     1.36     1.36  
d 8            0.80     6.98    13.56  
d14           13.76     7.58     1.00  
d15            9.54     7.76     1.00  
d20            4.95     6.73    13.49  
d22            7.36     6.76    11.16  
d27            5.30     5.90     1.50  
d29            1.36     1.36     1.36  
入射瞳位置    12.52    18.29    28.45  
射出瞳位置   106.26   286.67   130.80  
前側主点位置  17.92    29.01    96.00  
後側主点位置  -3.79    -8.99   -47.64  
ズームレンズ群データ
群  始面    焦点距離  レンズ構成長  前側主点位置  後側主点位置
1    1      17.78        23.26        14.58          8.18
2    9      -7.02         3.28         0.16         -2.30
絞り 15       ∞           0.00         0.00         -0.00
3   16      12.04         6.83         2.09         -3.57
4   21     -13.02         0.44         0.41          0.18
5   23      18.38         5.33         2.17         -1.54
GB   28       ∞           1.29         0.42         -0.42
単レンズデータ
レンズ  始面  焦点距離
1       1    -21.90
2       3      0.00
3       5     27.12
4       7     32.88
5       9     -8.86
6      11    -11.16
7      13     17.71
8      16     17.70
9      18    -15.09
10      19      9.94
11      21    -13.02
12      23     15.39
13      24    -11.31
14      26     13.29
15      28      0.00
数値実施例  ３
単位 mm
面データ
面番号       r        d      nd         vd       有効径
1         41.055    1.00   1.92286    20.9       18.98
2         13.504    3.12                         16.31
3          ∞      15.00   1.90366    31.3       16.08
4          ∞       0.20                         13.87
5         99.600    2.38   1.59282    68.6       13.87
6        -24.727    0.20                         13.80
7*        29.215    1.91   1.69350    53.2       12.94
8*       -64.855  (可変)                         12.58
9        -17.579    0.45   1.85400    40.4        7.42
10*        13.946    1.09                          6.84
11        -11.057    0.45   1.72916    54.7        6.78
12         78.292    0.07                          6.80
13         52.976    1.02   1.92286    18.9        6.82
14        -23.992  (可変)                          6.81
15(絞り)    ∞     (可変)                          6.84
16*         9.329    2.12   1.69350    53.2        8.20
17*       112.351    2.00                          7.92
18         94.827    0.50   1.88300    40.8        7.71
19          8.037    2.47   1.49700    81.5        7.58
20        -10.788  (可変)                          7.71
21         20.179    0.45   1.91082    35.3        6.59
22          5.170    1.23   1.80809    22.8        6.34
23          7.765  (可変)                          6.25
24          7.778    2.50   1.49700    81.6        8.27
25        -17.911    0.00                          8.16
26        -17.911    0.50   1.92286    18.9        8.16
27         36.822    0.66                          8.16
28*        98.028    1.07   1.58313    59.4        8.28
29        -18.442  (可変)                          8.31
30          ∞       1.29   1.51633    64.2       20.00
31          ∞     (可変)                         20.00
像面        ∞   
非球面データ
第7面
K = 0.00000e+000  A 4=-1.30581e-005  A 6=-6.50977e-009  A 8=-3.65803e-009  A10= 3.26510e-011  
第8面
K = 0.00000e+000  A 4=-2.08951e-005  A 6=-3.41374e-008  A 8=-3.15099e-009  A10= 3.43401e-011  
第10面
K = 0.00000e+000  A 4=-1.37868e-004  A 6= 7.78210e-006  A 8=-7.54029e-007  A10= 2.70248e-008  
第16面
K = 0.00000e+000  A 4= 9.37161e-005  A 6= 5.32058e-006  A 8=-1.28408e-007  A10= 1.19439e-008  
第17面
K = 0.00000e+000  A 4= 3.86335e-004  A 6= 5.74722e-006  A 8=-1.16724e-007  A10= 1.61236e-008  
第28面
K = 0.00000e+000  A 4=-3.59684e-005  A 6= 2.34096e-005  A 8=-1.76175e-006  A10= 4.53994e-008  
各種データ
ズーム比      9.79 
広角     中間     望遠
焦点距離       5.01    10.56    49.00  
Fナンバー      3.61     4.50     6.00  
画角          33.35    20.16     4.52  
像高           3.29     3.88     3.88  
レンズ全長    84.96    84.96    84.96  
BF             1.36     1.36     1.36  
d 8            0.75     7.68    14.70  
d14           14.89     7.97     0.94  
d15           12.44    10.07     0.97  
d20            6.87     9.24    18.34  
d23            2.28     2.01     5.50  
d29            4.67     4.95     1.45  
d31            1.36     1.36     1.36  
入射瞳位置    12.85    18.83    28.46  
射出瞳位置   -98.03   -56.89   -69.32  
前側主点位置  17.60    27.47    43.49  
後側主点位置  -3.64    -9.19   -47.64  
ズームレンズ群データ
群  始面    焦点距離  レンズ構成長  前側主点位置  後側主点位置
1    1      18.62        23.82        15.57          9.39
2    9      -7.94         3.08         0.01         -2.28
絞り 15       ∞           0.00         0.00         -0.00
3   16      14.00         7.09         1.44         -4.43
4   21     -13.21         1.68         1.32          0.37
5   24      19.00         4.73         0.65         -2.83
GB  30       ∞           1.29         0.42         -0.42
単レンズデータ
レンズ  始面  焦点距離
1       1    -22.19
2       3      0.00
3       5     33.66
4       7     29.29
5       9     -9.05
6      11    -13.26
7      13     18.01
8      16     14.55
9      18     -9.97
10      19      9.69
11      21     -7.74
12      22     15.80
13      24     11.28
14      26    -13.00
15      28     26.71
16      30      0.00
実施例４
単位 mm
面データ
面番号       r        d      nd         vd       有効径
1        135.231    1.00   1.92286    20.9       16.11
2         13.929    2.05                         14.02
3          ∞      15.00   1.90366    31.3       13.95
4          ∞       0.20                         13.12
5         55.472    2.63   1.59282    68.6       13.45
6        -22.564    0.20                         13.73
7*        22.403    2.19   1.69350    53.2       13.74
8*       -46.701  (可変)                         13.61
9        -17.167    0.45   1.85400    40.4        6.82
10*        12.765    1.12                          6.65
11        -10.093    0.45   1.72916    54.7        6.67
12         40.788    0.14                          7.10
13        122.610    1.03   1.92286    18.9        7.13
14        -19.464  (可変)                          7.36
15(絞り)    ∞     (可変)                          7.80
16*         9.388    2.75   1.69350    53.2        9.39
17*      1307.979    1.79                          8.96
18        208.244    0.50   1.88300    40.8        8.63
19          7.967    2.81   1.49700    81.5        8.43
20        -10.577  (可変)                          8.55
21        257.987    0.45   1.81600    46.6        7.12
22          5.684    1.29   1.80809    22.8        6.94
23          8.786  (可変)                          6.86
24          8.809    2.50   1.49700    81.6        9.29
25        -26.729    0.00                          9.19
26        -45.591    0.50   1.92286    18.9        9.13
27         14.027    0.13                          8.99
28*        11.323    2.53   1.58313    59.4        9.11
29        -16.855  (可変)                          9.21
30          ∞       1.29   1.51633    64.2       20.00
31          ∞     (可変)                         20.00
像面        ∞   
非球面データ
第7面
K = 0.00000e+000  A 4=-2.35437e-005  A 6= 8.27235e-008  A 8=-5.97621e-009  A10= 1.55168e-012  
第8面
K = 0.00000e+000  A 4=-1.12927e-005  A 6= 7.27507e-008  A 8=-5.14446e-009  A10= 6.41552e-012  
第10面
K = 0.00000e+000  A 4=-2.80141e-004  A 6= 2.99815e-006  A 8=-6.48903e-007  A10= 3.03380e-008  
第16面
K = 0.00000e+000  A 4= 2.67281e-005  A 6= 3.00213e-006  A 8=-1.43809e-007  A10= 7.78290e-009  
第17面
K = 0.00000e+000  A 4= 3.11904e-004  A 6= 5.20903e-006  A 8=-3.20149e-007  A10= 1.51599e-008  
第28面
K = 0.00000e+000  A 4=-2.01453e-004  A 6= 4.31874e-006  A 8=-3.48339e-007  A10= 6.85234e-009  
各種データ
ズーム比      9.78 
広角     中間     望遠
焦点距離       5.01    10.36    49.00  
Fナンバー      3.61     4.50     6.00  
画角          33.31    20.50     4.52  
像高           3.29     3.88     3.88  
レンズ全長    84.96    84.96    84.96  
BF             1.36     1.36     1.36  
d 8            0.77     5.61    10.17  
d14           10.29     5.45     0.88  
d15           13.49    10.87     0.84  
d20            6.83     9.44    19.48  
d23            2.67     3.03     7.60  
d29            6.56     6.20     1.63  
d31            1.36     1.36     1.36  
入射瞳位置    10.83    14.70    20.23  
射出瞳位置   111.61   338.95    78.17  
前側主点位置  16.07    25.38   100.49  
後側主点位置  -3.65    -9.00   -47.64  
ズームレンズ群データ
群  始面    焦点距離  レンズ構成長  前側主点位置  後側主点位置
1    1      13.00        23.28        12.93          7.76
2    9      -6.72         3.18         0.11         -2.28
絞り 15       ∞           0.00         0.00         -0.00
3   16      13.91         7.86         1.55         -4.86
4   21     -11.11         1.74         0.98          0.02
5   24      14.14         5.66         1.49         -2.48
GB  30       ∞           1.29         0.42         -0.42
単レンズデータ
レンズ  始面  焦点距離
1       1    -16.89
2       3      0.00
3       5     27.40
4       7     22.12
5       9     -8.51
6      11    -11.05
7      13     18.27
8      16     13.62
9      18     -9.39
10      19      9.63
11      21     -7.13
12      22     16.81
13      24     13.65
14      26    -11.58
15      28     12.01
16      30      0.00
実施例５
単位 mm
面データ
面番号       r        d      nd         vd       有効径
1        101.743    1.00   1.92286    20.9       16.34
2         13.934    2.15                         14.23
3          ∞      15.00   1.90366    31.3       14.14
4          ∞       0.20                         12.95
5         55.359    2.03   1.59282    68.6       13.26
6        -23.845    0.20                         13.41
7*        22.252    2.62   1.69350    53.2       13.45
8*       -43.391  (可変)                         13.24
9        -14.960    0.45   1.85400    40.4        6.59
10*        13.989    1.13                          6.46
11        -10.928    0.45   1.72916    54.7        6.49
12         27.029    0.20                          6.86
13         93.542    0.97   1.92286    18.9        6.90
14        -19.302  (可変)                          7.10
15(絞り)    ∞     (可変)                          7.52
16*         9.485    2.73   1.69350    53.2        9.80
17*       126.747    1.35                          9.34
18         72.753    0.50   1.88300    40.8        9.12
19          7.901    3.65   1.49700    81.5        8.86
20        -11.568  (可変)                          9.08
21        -33.706    0.45   1.88300    40.8        6.89
22          6.786    1.54   1.80809    22.8        6.92
23          9.685  (可変)                          7.04
24          8.630    2.50   1.49700    81.6        9.08
25        -20.565    0.00                          9.10
26        -21.231    0.50   1.94595    18.0        9.09
27         26.989   -0.00                          9.25
28*        10.287    2.41   1.65160    58.5        9.61
29        -14.664  (可変)                          9.62
30          ∞       1.29   1.51633    64.2       20.00
31          ∞     (可変)                         20.00
像面        ∞   
非球面データ
第7面
K = 0.00000e+000  A 4=-2.40130e-005  A 6=-4.17236e-008  A 8=-9.34210e-009  A10= 2.05758e-011  
第8面
K = 0.00000e+000  A 4=-1.14644e-005  A 6=-1.93832e-007  A 8=-5.73500e-009  A10= 1.71049e-011  
第10面
K = 0.00000e+000  A 4=-3.56628e-004  A 6= 5.28447e-006  A 8=-8.58656e-007  A10= 3.47701e-008  
第16面
K = 0.00000e+000  A 4= 1.38639e-005  A 6= 3.80827e-006  A 8=-1.86125e-007  A10= 7.70178e-009  
第17面
K = 0.00000e+000  A 4= 2.60588e-004  A 6= 6.33381e-006  A 8=-3.75373e-007  A10= 1.48541e-008  
第28面
K = 0.00000e+000  A 4=-3.91934e-004  A 6= 1.09886e-005  A 8=-5.38232e-007  A10= 7.94789e-009  
各種データ
ズーム比      9.51 
広角     中間     望遠
焦点距離       5.15    10.35    49.00  
Fナンバー      3.61     4.50     6.00  
画角          32.59    20.53     4.52  
像高           3.29     3.88     3.88  
レンズ全長    84.96    84.96    84.96  
BF             1.36     1.36     1.36  
d 8            0.77     5.17    10.05  
d14           10.17     5.77     0.89  
d15           13.94    10.99     0.80  
d20           10.84    13.78    23.97  
d23            0.60     1.03     3.26  
d29            3.96     3.53     1.30  
d31            1.36     1.36     1.36  
入射瞳位置    11.14    14.85    21.24  
射出瞳位置    93.23   159.34    63.33  
前側主点位置  16.58    25.87   108.98  
後側主点位置  -3.79    -8.99   -47.64  
ズームレンズ群データ
群  始面    焦点距離  レンズ構成長  前側主点位置  後側主点位置
1    1      13.16        23.20        12.89          7.22
2    9      -6.62         3.19         0.11         -2.33
絞り 15       ∞           0.00         0.00         -0.00
3   16      14.47         8.23         1.83         -4.76
4   21      -8.07         1.99         0.76         -0.31
5   24      10.00         5.41         1.70         -2.01
GB  30       ∞           1.29         0.42         -0.42
単レンズデータ
レンズ  始面  焦点距離
1       1    -17.59
2       3      0.00
3       5     28.38
4       7     21.56
5       9     -8.41
6      11    -10.62
7      13     17.41
8      16     14.64
9      18    -10.07
10      19     10.07
11      21     -6.36
12      22     22.67
13      24     12.59
14      26    -12.50
15      28      9.65
16      30      0.00
【００６７】
【表１】
2015028556.tif 000008
【符号の説明】
【００６８】
1   Ｌ1    1群
2   Ｌ2    2群
3   Ｌ3    3群
4   Ｌ4    4群
5   Ｌ5    5群
6   GB   ガラスブロック
7   ＳＰ    絞り
8   ＩＰ    像面
9    PR  プリズム
10   ｄ      ｄ線
11   ｇ      ｇ線
12  ΔＳ    サジタル像面
13  ΔＭ    メリディオナル像面
14  Ｆｎｏ  Ｆナンバー
15  ω      半画角
【図１】
2015028556.tif 000012
【図２】
2015028556.tif 000013
【図３】
2015028556.tif 000014
【図４】
2015028556.tif 000015
【図５】
2015028556.tif 000016
【図６】
2015028556.tif 000017
【図７】
2015028556.tif 000018
【図８】
2015028556.tif 000019
【図９】
2015028556.tif 000020
【図１０】
2015028556.tif 000021
【図１１】
2015028556.tif 000022
【図１２】
2015028556.tif 000023
【図１３】
2015028556.tif 000024
【図１４】
2015028556.tif 000025
【図１５】
2015028556.tif 000026
【図１６】
2015028556.tif 000027